(57)【要約】      （修正有）【課題】無停電電源装置の蓄電池を内部に収容した状態で姿勢を安定させることができる画像形成装置を提供する。【解決手段】蓄電池３２の重心位置が蓄電池３２を備えていない状態の画像形成装置の重心位置よりも重力作用方向下流側に位置するように、蓄電池３２が画像形成装置の第２用紙収容カセット２８の内部に配置されている。【選択図】図２
2009194754.tif 000002
【特許請求の範囲】
【請求項１】
蓄電池を有する無停電電源装置を備えた画像形成装置であって、
前記蓄電池の重心位置が、前記蓄電池を備えていない状態の前記画像形成装置全体の重心位置よりも重力作用方向下流側に位置するように、前記蓄電池を内部に配置したことを特徴とする画像形成装置。
【請求項２】
外郭となる筐体を有し、
前記蓄電池は、前記筐体の重力作用方向下流側に位置する底部に配置されていることを特徴とする請求項１に記載の画像形成装置。
【請求項３】
前記筐体の重力作用方向下流側に位置する底部には、画像が形成される用紙を収容する用紙収容カセットが設けられ、
前記蓄電池は、前記用紙収容カセットに配置されていることを特徴とする請求項２に記載の画像形成装置。
【請求項４】
前記用紙収容カセットは、重力作用方向に沿って複数並べられ、
前記蓄電池は、重力作用方向下流側に位置する最下段の前記用紙収容カセットに配置されていることを特徴とする請求項３に記載の画像形成装置。
【発明の詳細な説明】
【技術分野】
【０００１】
本発明は、蓄電池を有する無停電電源装置（ＵＰＳ：Ｕｎｉｎｔｅｒｒｕｐｔｉｂｌｅ Ｐｏｗｅｒ Ｓｕｐｐｌｙ）を備えた画像形成装置に関する。
【背景技術】
【０００２】
従来から、商用電源からの電力供給が停止（停電）したときの対策として、内部に無停電電源装置を備えた画像形成装置が提案されている（下記特許文献１参照）。この無停電電源装置は、何らかの原因で商用電源から画像形成装置への電力供給が停止した場合に、画像形成装置のすべての機能が停止するのを防止するための装置であり、外部から供給されてきた電力を入力し、この入力した電力を蓄えつつ出力するとともに、外部からの電力供給停止時には、蓄えた電力を出力するものである。
【特許文献１】特開２００７−１７１７４１号公報
【発明の開示】
【発明が解決しようとする課題】
【０００３】
ところで、無停電電源装置が画像形成装置に収容された構成では、無停電電源装置が配置された位置が高くなると、無停電電源装置の重量が大きいことから、無停電電源装置を収容した画像形成装置全体の重心が高くなる。このため、例えば、画像形成装置の稼動時に画像形成装置に振動が作用したとき、また、地震等により画像形成装置が揺れたとき、あるいは画像形成装置を設置する床面又は台の傾斜角度により、画像形成装置の姿勢が不安定になり易くなる。
【０００４】
そこで、本発明は、無停電電源装置を内部に収容した状態で姿勢を安定させることができる画像形成装置を提供することを目的とする。
【課題を解決するための手段】
【０００５】
本願第１発明は、蓄電池を有する無停電電源装置を備えた画像形成装置であって、前記蓄電池の重心位置が、前記蓄電池を備えていない状態の前記画像形成装置全体の重心位置よりも重力作用方向下流側に位置するように、前記蓄電池を内部に配置したことを特徴とする。
【０００６】
本願第１発明によれば、無停電電源装置の蓄電池の重心位置が蓄電池を備えていない状態の画像形成装置の重心位置よりも重力作用方向下流側に位置するように、蓄電池が画像形成装置の内部に配置されている。このため、蓄電池の重心と蓄電池を除いた画像形成装置の重心との合成重心の位置が、蓄電池を備えていない状態の画像形成装置の重心の位置よりも、重力作用方向下流側に位置することになる。これにより、蓄電池を収容した画像形成装置の姿勢の安定性が向上する。具体的には、蓄電池を収容した画像形成装置に振動が作用し、あるいは傾斜する方向の力が作用しても、合成重心の位置が下方にあるため、画像形成装置の復元力が大きくなる。この結果、蓄電池を収容した画像形成装置が傾斜し難くなるとともに、画像形成装置が傾斜した場合でも元の状態に戻ることになる。
【０００７】
本願第２発明は、本願第１発明に記載の画像形成装置において、外郭となる筐体を有し、前記蓄電池は、前記筐体の重力作用方向下流側に位置する底部に配置されていることを特徴とする。
【０００８】
本願第２発明によれば、蓄電池が筐体の重力作用方向下流側に位置する底部に配置されているため、画像形成装置の重力作用方向最下部に位置することになる。これにより、蓄電池を収容した画像形成装置の姿勢の安定性を向上させることができる。
【０００９】
本願第３発明は、本願第２発明に記載の画像形成装置において、前記筐体の重力作用方向下流側に位置する底部には、画像が形成される用紙を収容する用紙収容カセットが設けられ、前記蓄電池は、前記用紙収容カセットに配置されていることを特徴とする。
【００１０】
本願第３発明によれば、筐体の重力作用方向下流側に位置する底部には、画像が形成される用紙を収容する用紙収容カセットが設けられ、蓄電池は、用紙収容カセットに配置されている。これにより、用紙収容カセットのデッドスペースを利用して、蓄電池を配置することができる。また、用紙収容カセットは画像形成装置の底部に設けられているため、蓄電池を用紙収容カセットに配置した画像形成装置の重心位置が、蓄電池を収容しない状態の画像形成装置の重心の位置よりも、重力作用方向下流側に位置することになり、画像形成装置の姿勢の安定性を向上させることができる。
【００１１】
本願第４発明は、本願第３発明に記載の画像形成装置において、前記用紙収容カセットは、重力作用方向に沿って複数並べられ、前記蓄電池は、重力作用方向下流側に位置する最下段の前記用紙収容カセットに配置されていることを特徴とする。
【００１２】
本願第４発明によれば、用紙収容カセットは、重力作用方向に沿って複数並べられ、蓄電池は、重力作用方向下流側に位置する最下段の用紙収容カセットに配置されている。これにより、蓄電池を用紙収容カセットに配置した画像形成装置の重心位置が、重力作用方向最下流側に位置することになり、画像形成装置の姿勢の安定性を向上できる。
【発明の効果】
【００１３】
本発明によれば、無停電電源装置の蓄電池を内部に収容した状態で姿勢を安定させることができる。
【発明を実施するための最良の形態】
【００１４】
次に、本発明の第１実施形態に係る画像形成装置について、図面を参照して説明する。
【００１５】
図１に示すように、画像形成装置１０は、筐体本体１２を備えている。この筐体本体１２の内部には、用紙に所定の画像を形成するための画像形成部１４が配置されている。筐体本体１２の上部には、筐体上部１６が設けられている。筐体上部１６の内部には、セットした原稿の画像を読み取る画像読取部１８が設けられている。また、筐体上部１６には、画像形成に関する動作を入力するための操作部２０が設けられている。また、筐体上部１６には、ＡＤＦ装置（Ａｕｔｏ  Ｄｏｃｕｍｅｎｔ  Ｆｅｅｄｅｒ：原稿自動送り装置）２２が設けられている。
【００１６】
筐体本体１２の重力作用方向下流側（図１中矢印ｇ方向側）に位置する底部には、筐体下部（筐体）２４が設けられている。この筐体下部２４には、複数の用紙収容カセット２６、２８が引き出し可能に設けられている。具体的には、重力作用方向上流側には、第１用紙収容カセット２６が設けられており、第１用紙収容カセット２６の重力作用方向下側には、第２用紙収容カセット（用紙収容カセット）２８が設けられている。
【００１７】
ここで、図２に示すように、第２用紙収容カセット２８の内部には、複数枚の用紙Ｐがスタックされているが、これらの用紙Ｐが第２用紙収容カセット２８の内部の領域を全て占有しているわけではない。すなわち、第２用紙収容カセット２８の内部には、スタックされた用紙Ｐが占有する領域の他に、多くの領域３０がデッドスペースを形成している。
【００１８】
このデッドスペースとなる領域３０の一部には、無停電電源装置３１を構成する蓄電池（バッテリ）３２が配置されている。蓄電池３２は、何らかの原因で商用電源からの電力供給が停止した場合に、画像形成装置１０のすべての機能が停止するのを防止するための装置であり、外部から供給されてきた電力を入力し、この入力した電力を蓄えつつ出力するとともに、外部からの電力供給停止時には、蓄えた電力を出力するものである。このように、第２用紙収容カセット２８の内部のデッドスペースに、蓄電池３２を配置した状態では、蓄電池３２の重心の位置が、蓄電池３２を備えていない状態の画像形成装置１０の重心の位置よりも、重力作用方向下流側に位置することになる。
【００１９】
なお、画像形成装置１０の内部には、外部の商用電源からの電力を、蓄電池３２をバイパスして画像形成部１４に供給する第１電力供給経路（図示省略）と、商用電源からの電力を、蓄電池３２を介在させて画像形成部１４を制御する制御部（図示省略）に供給する第２電力供給経路（図示省略）と、を備えている。
【００２０】
また、蓄電池３２に付随するケーブル類は、画像形成装置１０の筐体下部２４に形成された既存のケーブル孔（図示省略）を通して外部に導出されている。
【００２１】
以上のように、本実施形態の画像形成装置１０は、重力作用方向最下流側に位置する第２用紙収容カセット２８の内部のデッドスペースに、重量の大きな蓄電池３２が配置されているため、蓄電池３２を合わせた画像形成装置１０全体の合成重心の位置が、蓄電池３２を備えていない状態の画像形成装置１０の重心の位置よりも、重力作用方向下流側に位置することになる。
【００２２】
このため、蓄電池３２を備えた画像形成装置１０全体の合成重心の位置を一層低くすることができ、画像形成装置１０の姿勢の安定性を一層向上することができる。例えば、画素形成装置１０に振動が発生した場合、衝撃力が作用した場合、あるいは画像形成装置１０を不安定な部位に置いた場合でも、画像形成装置１０の姿勢が安定する。また、たとえ画像形成装置１０が揺らいだ場合でも、その復元力が大きいため、画像形成装置１０は元の状態に戻ることになる。
【００２３】
特に、蓄電池３２は、第２用紙収容カセット２８内部のデッドスペースとなる領域３０を利用して配置しているため、第２用紙収容カセット２８を大型化する必要がなく、ひいては画像形成装置１０の大型化を防止できる。
【００２４】
ここで、図３に示すように、蓄電池３２は、第２用紙収容カセット２８の裏面側（下側）のデッドスペースとなる領域３４に配置されていてもよい。蓄電池３２を第２用紙収容カセット２８の裏面側の領域３４に配置することにより、第２用紙収容カセット２８にサイズの比較的大きな用紙を収容した場合でも、用紙と蓄電池３２とが干渉することを防止できる。これにより、第２用紙収容カセット２８に収容された用紙が折れ曲がって用紙の排出動作に支障が生じることを防止できる。
【００２５】
また、図４に示すように、蓄電池３２を第２用紙収容カセット２８の側面側（横側）のデッドスペースとなる領域３６に位置するように構成してもよい。この場合には、蓄電池３２が筐体下部２４の底部に設けられており、筐体下部２４に第２用紙収容カセット２８が収容された状態で、蓄電池３２が第２用紙収容カセット２８の側面側のデッドスペースとなる領域３６に位置するようになる。この構成によれば、第２用紙収容カセット２８を引き出すときに、蓄電池３２が第２用紙収容カセット２８と共に引き出されることがないため、第２用紙収容カセット２８の搭載重量が低くなり、第２用紙収容カセット２８を僅かな力で引き出すことができる。この結果、第２用紙収容カセット２８の引出動作を容易かつ円滑にすることができる。また、蓄電池３２が第２用紙収容カセット２８と共に引き出されないため、第２用紙収容カセット２８の引出動作時に蓄電池３２に衝撃力が作用することがない。この結果、蓄電池３２の破損及び故障の原因を取り除くことができるため、蓄電池３２の製品寿命が低下することを防止できる。
【００２６】
次に、本発明の第２実施形態に係る画像形成装置について説明する。
【００２７】
図５に示すように、画像形成装置５０は、筐体５２と、筐体５２の内部に設けられた画像形成部５４と、筐体５２の底部に設けられた用紙収容カセット５６と、を備えている。そして、筐体５２の底部であって用紙収容カセット５６の外側に位置する部位には、無停電電源装置の蓄電池５８が配置されている。なお、蓄電池５８は、筐体５２の底部上に配置された用紙収容カセット５６の内部のデッドスペースに配置されていてもよい。この蓄電池５８の機能は、第１実施形態のものと同様である。
【００２８】
このように、第２実施形態の画像形成装置５０は、１つの筐体５２の内部に画像形成部５４と、用紙収容カセット５６と、蓄電池５８と、を備えた構成である。ここで、蓄電池５８は、蓄電池５８の重心の位置が蓄電池５８を除いた画像形成装置５０の重心の位置よりも重力作用方向下流側（図５中矢印ｇ方向側）に位置するように、配置されている。このため、蓄電池５８を含めた画像形成装置５０全体の合成重心は、蓄電池５８を備えていない状態の画像形成装置５０の重心の位置よりも、重力作用方向下流側に位置することになる。
【００２９】
第２実施形態によれば、複数の用紙収容カセットを備えていない画像形成装置５０の場合でも、蓄電池５８を含めた画像形成装置５０全体の合成重心の位置を一層低くすることができるため、画像形成装置５０の姿勢の安定性を一層向上することができる。
【００３０】
なお、上記各実施形態では、無停電電源装置３１（５７）の蓄電池３２（５８）が画像形成装置１０（５０）全体の重心を下げるように下方に配置された構成を示したが、例えば、無停電電源装置３１（５７）を構成する蓄電池３２（５８）以外の構成要素（例えば、回路基板、筐体など）は第２用紙収容カセット２８又は筐体本体１２に収容してもよい。すなわち、無停電電源装置３１（５７）では、蓄電池３２（５８）の重量が重くなる傾向があり、蓄電池３２（５８）のみが下方の第２用紙収容カセット２８に収容されていれば、画像形成装置１０（５０）全体の重心を下げることができる。特に、無停電電源装置３１（５７）を蓄電池３２（５８）とその他の構成要素に分解して、蓄電池３２（５８）のみを第２用紙収容カセット２８に収容することにより、省スペース化を図ることができる。なお、無停電電源装置３１（５７）を蓄電池３２（５８）とその他の構成要素とに分解せず、一体のものとして収容する場合には、画像形成装置１０（５０）全体の重心を下げるために、下方の第２用紙収容カセット２８に収容することが好ましい。
【図面の簡単な説明】
【００３１】
【図１】本発明の第１実施形態に係る画像形成装置の斜視図である。
【図２】本発明の第１実施形態に係る画像形成装置の用紙収容カセットの内部構成図である。
【図３】本発明の第１実施形態に係る画像形成装置の用紙収容カセットの裏面側の構成図である。
【図４】本発明の第１実施形態に係る画像形成装置の用紙収容カセットの側面側の構成図である。
【図５】本発明の第２実施形態に係る画像形成装置の構成図である。
【符号の説明】
【００３２】
１０      画像形成装置
１４      画像形成部
２４      筐体下部（筐体）
２８      第２用紙収容カセット（用紙収容カセット）
３１      無停電電源装置
３２      蓄電池
５０      画像形成装置
５２      筐体
５４      画像形成部
５６      用紙収容カセット
５７      無停電電源装置
５８      蓄電池
【図１】
2009194754.tif 000003
【図２】
2009194754.tif 000004
【図３】
2009194754.tif 000005
【図４】
2009194754.tif 000006
【図５】
2009194754.tif 000007